【手続補正書】
【提出日】平成18年1月12日(2006.1.12)
【手続補正１】
【補正対象書類名】明細書
【補正対象項目名】発明の名称
【補正方法】変更
【補正の内容】
【発明の名称】アンテナ装置、及び通信装置
【手続補正２】
【補正対象書類名】明細書
【補正対象項目名】特許請求の範囲
【補正方法】変更
【補正の内容】
【特許請求の範囲】
【請求項１】  地板と、
前記地板上の給電点から給電されたアンテナエレメントと、
前記地板の所定位置に接続された、（１）先端開放の直線形状、または（２）先端開放の屈曲または湾曲をもつ形状を有し、前記アンテナエレメントと電気的に接続されない単数または複数の地線とを備えたアンテナ装置。
【請求項２】  給電部を有するアンテナエレメントと、
前記アンテナエレメントに対向して配置された、短辺および長辺をもつ略矩形板形状を有する地板と、
前記アンテナエレメントと前記地板とを接続する短絡部と、
前記地板の所定位置に接続された所定形状を有する単数または複数の地線とを備え、
前記アンテナエレメントは、前記短辺側に配置され、
前記地線の全部または一部は、前記地板の前記アンテナエレメント側の角に接続され、前記短辺以下の幅の、前記アンテナエレメント側の短辺の外側に形成された略渦巻き形状を有するアンテナ装置。
【請求項３】  給電部を有するアンテナエレメントと、
前記アンテナエレメントに対向して配置された、短辺および長辺をもつ略矩形板形状を有する地板と、
前記アンテナエレメントと前記地板とを接続する短絡部と、
前記地板の所定位置に接続された所定形状を有する単数または複数の地線とを備え、
前記アンテナエレメントは、前記短辺側に配置され、
前記地線の全部または一部は、前記地板の長辺に沿った脚部を前記長辺の途中に接続され、前記短辺以下の幅の、前記アンテナエレメント側の短辺の外側に形成された略渦巻き形状を有するアンテナ装置。
【請求項４】  前記地線は、少なくともその一部が前記地板とは相異なる平面内に位置する請求項１記載のアンテナ装置。
【請求項５】  前記アンテナ装置は、携帯電話に利用するためのアンテナ装置であって、
前記地板とは相異なる平面内に位置するとは、前記携帯電話をユーザが使用する際に前記ユーザの頭部からより遠ざかる側に位置することである請求項４記載のアンテナ装置。
【請求項６】  前記地線は、グランド電極と共通化されている請求項１記載のアンテナ装置。
【請求項７】  前記アンテナ装置は、カメラおよび／またはレシーバを有する携帯電話に利用するためのアンテナ装置であって、
前記グランド電極は、前記カメラと前記レシーバの少なくとも一方のグランド電極である請求項６記載のアンテナ装置。
【請求項８】  前記地線は、前記地板と異なる部材として構成されている請求項１記載のアンテナ装置。
【請求項９】  前記アンテナ装置は、筐体を有する携帯電話に利用するためのアンテナ装置であって、
前記地板と異なる部材として構成されているとは、前記筐体の内壁部に貼りつけられる部材として構成されていることである請求項８記載のアンテナ装置。
【請求項１０】  前記地線は、少なくともその一部が前記アンテナエレメントとは対向しない請求項１記載のアンテナ装置。
【請求項１１】  前記短絡部は、それぞれ所定の使用周波数に対応した複数の短絡ピンを有し、
前記複数の短絡ピンの内使用すべき短絡ピンへの切替を行うためのスイッチ回路をさらに備えた請求項１記載のアンテナ装置。
【請求項１２】  前記アンテナエレメントは、所定のスリットを有する請求項１記載のアンテナ装置。
【請求項１３】  前記地線は、その一部にコイルおよび／またはコンデンサを有する請求項１記載のアンテナ装置。
【請求項１４】  前記コイルおよび／または前記コンデンサは、前記地線の電気長を等価的に調節するために利用される請求項１３記載のアンテナ装置。
【請求項１５】  前記地線は、複数備えられており、
前記各地線は、それぞれ所定の使用周波数に対応している請求項１記載のアンテナ装置。
【請求項１６】  前記地線は、ヘリカル形状を有する請求項４記載のアンテナ装置。
【請求項１７】  請求項１から１６のいずれかに記載のアンテナ装置と、
前記アンテナ装置を利用して電波信号を送信するための送信手段と、
前記アンテナ装置を利用して電波信号を受信するための受信手段とを備えた通信装置。
【請求項１８】  前記アンテナ装置は、携帯電話に利用するためのアンテナ装置であって、
前記アンテナ装置を収納する第１の筐体と、前記第１の筐体とは相異なる第２の筐体と、前記第１の筐体と前記第２の筐体とを繋ぐヒンジ部とをさらに備えた請求項１７記載の通信装置。
【請求項１９】  所定のアンテナ装置と、前記アンテナ装置および所定の基板を収納する第１の筐体と、前記第１の筐体とは相異なる第２の筐体と、前記第１の筐体と前記第２の筐体とを繋ぐ金属ヒンジ部とを備え、
前記金属ヒンジ部の両端の内の、一方の端部が前記基板のグランドと電気的に接続され、他方の端部が開放されている通信装置。
【請求項２０】  前記金属ヒンジ部が導電性接続素子を介して前記基板のグランドの所定位置に電気的に接続されている請求項１９記載の通信装置。
【手続補正３】
【補正対象書類名】明細書
【補正対象項目名】０００１
【補正方法】変更
【補正の内容】
【０００１】
【発明の属する技術分野】
本発明は、たとえば、携帯電話などに利用されるアンテナ装置、及び通信装置に関する。
【手続補正４】
【補正対象書類名】明細書
【補正対象項目名】００１０
【補正方法】変更
【補正の内容】
【００１０】
本発明は、上記従来のこのような課題を考慮し、たとえば折り畳みタイプの携帯電話の薄型化を実現できるアンテナ装置、及び通信装置を提供することを目的とするものである。
【手続補正５】
【補正対象書類名】明細書
【補正対象項目名】００１１
【補正方法】変更
【補正の内容】
【００１１】
【課題を解決するための手段】
第１の本発明は、地板（１２０）と、
前記地板（１２０）上の給電点（１１２）から給電されたアンテナエレメント（１１０）と、
前記地板（１２０）の所定位置に接続された、（１）先端開放の直線形状、または（２）先端開放の屈曲または湾曲をもつ形状を有し、前記アンテナエレメントと電気的に接続されない単数または複数の地線（１４０）とを備えたアンテナ装置である。
【手続補正６】
【補正対象書類名】明細書
【補正対象項目名】００１７
【補正方法】変更
【補正の内容】
【００１７】
第７の本発明は、前記アンテナ装置は、カメラ（２００）および／またはレシーバを有する携帯電話に利用するためのアンテナ装置であって、
前記グランド電極は、前記カメラ（２００）と前記レシーバの少なくとも一方のグランド電極である第６の本発明のアンテナ装置である。
【手続補正７】
【補正対象書類名】明細書
【補正対象項目名】００２７
【補正方法】変更
【補正の内容】
【００２７】
第１７の本発明は、第１から１６の本発明のいずれかのアンテナ装置（１）と、
前記アンテナ装置を利用して電波信号を送信するための送信手段（２）と、
前記アンテナ装置を利用して電波信号を受信するための受信手段（３）とを備えた通信装置である。
【手続補正８】
【補正対象書類名】明細書
【補正対象項目名】００２９
【補正方法】変更
【補正の内容】
【００２９】
第１９の本発明は、所定のアンテナ装置と、前記アンテナ装置および所定の基板（４２２０）を収納する第１の筐体（４２００）と、前記第１の筐体（４２００）とは相異なる第２の筐体（４１００）と、前記第１の筐体（４２００）と前記第２の筐体（４１００とを繋ぐ金属ヒンジ部（４３００）とを備え、
前記金属ヒンジ部（４３００）の両端の内の、一方の端部が前記基板（４２２０）のグランドと電気的に接続され、他方の端部が開放されている通信装置である。
【手続補正９】
【補正対象書類名】明細書
【補正対象項目名】００３０
【補正方法】変更
【補正の内容】
【００３０】
第２０の本発明は、前記金属ヒンジ部（４３００）が導電性接続素子を介して前記基板（４２２０）のグランドの所定位置に電気的に接続されている第１９の本発明の通信装置である。
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】削除
【補正の内容】
【手続補正１２】
【補正対象書類名】明細書
【補正対象項目名】０１２１
【補正方法】削除
【補正の内容】
【手続補正１３】
【補正対象書類名】明細書
【補正対象項目名】０１２２
【補正方法】削除
【補正の内容】